(57)【要約】      （修正有）【課題】線引具の糸の先端部材を指定の位置にしっかりと固定（保持）できるウェイトを提供できるようにして、二人作業が一般的であったコンクリート面などのような固い面に行うマーキング作業を、一人で正確に行えるようにした線引具用ウェイトを提供する。【解決手段】線引具用ウェイトを、本体１と、線引具の糸ないし糸の先端部材を取り付けるための取付部２と、本体下方に突出する複数の突起３と、本体底面に設けられる滑動抑制手段たるゲルシート４とから構成し、ゲルシート４を着脱自在にすると共に、ゲルシート４が本体１の底面１ｃに取り付けられているときは、突起３の少なくとも先端付近がこのゲルシート４の表面よりも内方に位置するようにする。【選択図】図２
0003200428.tif 000002
【実用新案登録請求の範囲】
【請求項１】
本体と、線引具の糸ないし糸の先端部材を取り付けるための取付部と、本体下方に突出する複数の突起と、本体底面に設けられる滑動抑制手段と、を備える線引具用ウェイトであって、該滑動抑制手段は着脱自在になっていて、該滑動抑制手段が本体底面に取り付けられているときは、上記突起の少なくとも先端付近が滑動抑制手段底面よりも内方に位置するようになっていることを特徴とする線引具用ウェイト。
【請求項２】
本体と、線引具の糸ないし糸の先端部材を取り付けるための取付部と、本体下方に突出する複数の突起と、本体底面に設けられる滑動抑制手段と、を備える線引具用ウェイトであって、上記突起の少なくとも先端付近が、上記滑動抑制手段の内外に進退可能になっていることを特徴とする線引具用ウェイト。
【請求項３】
上記取付部が、上記突起の外方に配置されると共に、これら突起の外方を水平に回転移動できるようになっていることを特徴とする請求項１または請求項２に記載の線引具用ウェイト。
【請求項４】
上記取付部が、本体の側面に配置されると共に、該側面の周囲を水平に回転移動できるようになっていることを特徴とする請求項１または請求項２に記載の線引具用ウェイト。
【請求項５】
上記取付部が、遠心方向に先細形状になっていることを特徴とする請求項１または請求項２に記載の線引具用ウェイト。
【請求項６】
上記本体の重心が、本体下方寄りに設定されていることを特徴とする請求項１または請求項２に記載の線引具用ウェイト。
【請求項７】
上記本体の上下方向に、通孔が設けられていることを特徴とする請求項１または請求項２に記載の線引具用ウェイト。
【請求項８】
上記滑動抑制手段に、ゲルを用いていることを特徴とする請求項１または請求項２に記載の線引具用ウェイト。
【請求項９】
上記ゲルが、適当な厚みの板状に形成されていることを特徴とする請求項８に記載の線引具用ウェイト。
【考案の詳細な説明】
【技術分野】
【０００１】
本考案は、線引具によるマーキング作業時に用いられる補助具に関し、より詳しくは、ケースから引き出した糸の先端部材を、指定の位置に保持するための線引具用ウェイトに関する。
【背景技術】
【０００２】
従来、線引具の代表的なものとしては墨壷があり、これは建築の際に、木材等の材料の表面に長い直線を簡単に引く道具として用いられている。そして、この墨壷と同じ方法によって直線を引くものには、墨壷に用いられる墨汁やインクに代わり取り扱いが容易な粉末体たる例えばチョーク粉末などを用いて直線を引く線引具、所謂チョーク線引具がある。この線引具は、直線を引くための糸を巻回したリールがケース内に立設する軸に回転自在に支持され、リールに巻回された糸がチョーク粉末などの粉末体を収容する粉末収容室を通過してケースの外部に案内されている。
【０００３】
この線引具による線引作業（マーキング作業）は、線引範囲の一方の端にケースを置き、ケースの糸出入口に係止する糸に結ばれたフック（先端部材）を引き出して行く。そうすると、糸が粉末体収容室を通過する際にチョーク粉末が付着してケースから出てくるので、このフックを線引範囲の先端まで引っ張って行ってフックに接続している糸を張る。次に、この糸を上方に持ち上げて放せば糸が被線引面に叩き付けられ、糸に付着するチョーク粉末が被線引面に付着して直線が引ける。また、線引作業が終わって引き出した糸をケースに収納するときは、ケースに備えるハンドルを糸の巻き取り方向に回転させることで、引き出されている糸がケース内のリールに巻き取られる。
【０００４】
このような線引具において、特にコンクリート面や金属面などの固い面にマーキング作業を行うときは、糸先端のフックを固定するためのアンカーをマーキング面に打ち込めないので二人作業が一般的であり、この作業における一人は、線引具のケースの糸出口を線引範囲の一端に保持し、もう一人は、糸が接続されているフックを線引具のケースから引き出し、線引範囲の先端まで引っ張って行って糸を張った状態で保持し、そして何れかの一人が、糸を上方に持ち上げてから放して糸を被線引面に叩き付け、この糸に付着するチョーク粉末を被線引面に付着させて直線を引いている。
【０００５】
しかしながら、上述のコンクリート面などのような固い面にマーキング作業を行うときでも常に二人で作業ができるとは限らず、一人で行わなければならないときもある。このときは、糸の先端部材を工具などの重量物によって線引範囲の一端に固定してマーキング作業を行っているが、糸を上方に持ち上げたとき、該糸に掛かる張力は相当なものになるため、糸の先端部材を固定している工具が滑って糸が弛んでしまうこともあった。この場合は、やむなくコンクリートアンカーをコンクリート面に打ち込んでこれに糸の先端部材を固定して行っていた。そして、作業の後にコンクリート面を補修していた。
【０００６】
また、糸の先端部材を固定するものによっては、マーキングの一端となる引出点が線引きを開始する指定点からずれてしまうこともあって、正確なマーキングを行えていないこともあった。
【先行技術文献】
【特許文献】
【０００７】
【特許文献１】特開２０１４−６５１３９号公報
【考案の概要】
【考案が解決しようとする課題】
【０００８】
本考案の目的とするところは、線引具の糸の先端部材を指定の位置にしっかりと固定（保持）できるウェイトを提供できるようにして、特に二人作業が一般的であったコンクリート面などのような固い面に行うマーキング作業を、一人で正確に行えるようにした線引具用ウェイトを提供できるようにすることにある。
【課題を解決するための手段】
【０００９】
上述した課題を解決するために、本考案に係る線引具用ウェイトの第１の形態は、本体と、線引具の糸ないし糸の先端部材を取り付けるための取付部と、本体下方に突出する複数の突起と、本体底面に設けられる滑動抑制手段と、を備える線引具用ウェイトであって、上記該滑動抑制手段は着脱自在になっていて、該滑動抑制手段が本体底面に取り付けられているときは、上記突起の少なくとも先端付近が滑動抑制手段底面よりも内方に位置するようになっていることを特徴とする。上記滑動抑制手段底面は、滑動抑制手段が取り付けられている線引具用ウェイトを設置するとき、被設置面と接触する部位である。
【００１０】
また、本考案に係る線引具用ウェイトの第２の形態は、本体と、線引具の糸ないし糸の先端部材を取り付けるための取付部と、本体下方に突出する複数の突起と、本体底面に設けられる滑動抑制手段と、を備える線引具用ウェイトであって、上記突起の少なくとも先端付近が、上記滑動抑制手段の内外に進退可能になっていることを特徴とする。
【００１１】
そして、本線引具用ウェイトは、被設置面の状態（硬／軟）により、上記突起と上記滑動抑制手段を適宜使い分けることで、被設置面に置いた本体の滑動（滑り）を防ぐようにしている。具体的には、被設置面が金属やコンクリートなどの硬状態面のときには滑動抑制手段を用いて本体の滑動を抑制し、被設置面が土などの軟状態面のときには突起を用いて本体の滑動を抑制する。勿論、被設置面の状態によっては突起または滑動抑制手段の何れか最適な方を用い、例えば、表面に細かな凸凹を有しているアスファルト面などのときは、突起を用いて本体の滑動を抑制してもよい。
【００１２】
上記突起は、少なくとも土などの軟状態面の被設置面に差し入れられるようにしていればよく、突起形状としては、例えば、柱状体の先端を尖らせた円錐状（先細形状）などにしたり、また、柱状体の先端に突起を複数設けたり、また、柱状体の先端に突起を複数立設したプレートを固定または揺動自在に設けてもよい。
【００１３】
そして、第２の形態のように、突起を滑動抑制手段の内外に進退可能にするための構造は、適宜公知の技術を用いて構成すればよく、例えば、ハンドルを回したりレバーを操作することによって突起を立設しているプレートが動いて、少なくとも突起の先端が滑動抑制手段の内外に進退するようにしてもよい。
【００１４】
上記滑動抑制手段は、マーキングの際に本体の滑動（滑り）を防止できるようにしていればよいが、取り扱いや滑動抑制効果を考慮すればゲルを用いるのが望ましく、例えば、ゲルを適当な厚みのシート状に形成してこのゲルシートを本体底面に設ければよい。また、ゲルシートの厚みも好適な厚みにすればよい。そして、ゲルシートは、ゲルに有する粘性を利用して本体底面に直接貼り付けたり、ゲルシートを別の部材に取り付けてこの部材を本体底面に取り付けるようにしてもよい。
【００１５】
そして、第１の形態のように、滑動抑制手段たるゲルシートを本体底面に着脱自在に取り付けできるようにするためには、上述のように、ゲルに有する粘性を利用してゲルシートを本体底面に直接貼り付けておき、必要に応じて本体底面から剥がすようにしたり、ゲルを別部材の表面に取り付けて、この別部材を、例えば面ファスナなどの適宜公知の技術を用いて本体底面に着脱自在に取り付けできるようにしてもよい。また、線引具用ウェイトを第２の形態のように構成している場合でも、ゲルシートの洗浄を考慮して、該ゲルシートを着脱できるようにしておくのが望ましい。
【００１６】
そして、線引具の糸ないし糸の先端部材を取り付けるための取付部は、３６０度回転できるように構成するのが望ましく、具体的には、上述の複数の突起の外方に配置して、これら突起の外方を水平に回転移動できるようにしたり、あるいは、本体の側面に配置して、該側面の周囲を水平に回転移動できるようにするのがよい。
【００１７】
上述の、本体の側面の周囲を水平に回転移動させる場合は、例えば、取付部を回転移動させる本体側面の一部分のみを円形にしたり、本体の形状を円柱や半球の形状して、取付部（取付部材）または取付部を設けたリング体を本体に回転可能に装着することで、該取付部が本体側面の周囲を水平に回転移動できるようにしてもよい。勿論、本方法に限定するものではなく、適宜方法で行ってもよい。
【００１８】
取付部（取付部材）の形状も所望の形状にすればよいが、マーキングをより正確に行うために適した形状の一例を示すと、取付部の糸を係着する部位を、遠心方向に先細形状にするのがよい。そして、本体と線引具との間に張られる糸が、本体の設置面すなわちマーキング面に近くなるように該取付部（取付部材）の形状や設置位置を選定すればよい。また、取付部（取付部材）の先端部が下方に向くようにして、糸がマーキング面により近接できるようにしてもよい。
【００１９】
そして、本体の形状や素材また重さも特に限定するものではなく所望の形態にすればよいが、本体の重心は、本体下方寄りに設定するのが望ましい。この重心を本体下方寄りにする（低重心化）場合の一例としては、本体の上側と下側とで異種の素材を用いたり（例えば、本体上側を合成樹脂とし本体下側を金属とする）、本体の上側を中空にするようにしてもよい。勿論、本方法に限定されるものではなく、適宜方法を用いて行えばよい。
【００２０】
また、特に軟弱な地面上に本体を固定する際、アンカーによる本体の固定ができるように、該本体の上下方向に貫通する通孔を設けてもよい。
【考案の効果】
【００２１】
本考案の線引具用ウェイトによれば、線引具のケースから引き出した糸の先端を指定の位置にしっかりと固定（保持）できるので、特に二人作業が一般的であったコンクリート面や金属面などのような固い面に行うマーキング作業は勿論のこと、土などの軟らかい面に行うマーキング作業でも一人で正確に且つ容易に行うことができる。これにより、コンクリート面の補修が必要であったコンクリートアンカーの使用もなくなるので、路面への負担もなくすことがでる。
【００２２】
そして、滑動抑制手段にゲルシートを用いているので、水平方向（糸の張力方向）の引張りに対する踏ん張り力を非常に大きくできるので、本体すなわち線引具用ウェイトを必要以上に重くしなくても、糸の先端を指定の位置にしっかりと固定（保持）することができる。これにより、線引具用ウェイトを軽量に且つコンパクトにできて、携帯性を向上させることもできる。
【００２３】
そして、該ゲルシートが使用によって汚れたときでも、本体から簡単に取り外して洗浄できるので、ゲルに有する粘性（粘着機能）を長期に渡り安定して保持できて、本線引具用ウェイトを長期に渡り安定して使用することができる。
【００２４】
また、線引具の糸ないし糸の先端部材を取り付ける取付部を３６０度回転できるように構成しているので、例えば、一点から放射状に直線を線引き（マーキング）する際も、糸を常に真っ直ぐ引っ張ることができる。
【００２５】
さらに、本線引具用ウェイトは、線引具の補助具以外の用途にも対応でき、例えば、体育祭などの際の運動場のラインを引く場合も、直線は勿論のこと、回転できる取付部によって曲線も簡単に引くことができる。また、上記取付部にリードを固定してペットを運動させる際のリード固定具としたり、テニスや野球など球技スポーツの練習の際にも飛球抑制具として使用することもできる。
【図面の簡単な説明】
【００２６】
【図１】本考案に係る第１の形態の線引具用ウェイトの一例を示した斜視図。
【図２】線引具用ウェイトを側面から見た図。
【図３】ゲルシートの一例を示した斜視図。
【図４】第２の形態の線引具用ウェイトの一例を示した側面図。
【図５】第１の形態の線引具用ウェイトの使用状態の一例を示した図。
【考案を実施するための形態】
【００２７】
以下、本考案に係る線引具用ウェイトを、添付図面に示す具体例に基づいて説明する。また、本実施例の線引具用ウェイトは、線引具の糸ないし糸の先端部材を取り付けるための取付部を、本体の側面に配置しているものである。
【００２８】
図１および図２は、第１の形態の線引具用ウェイトであり、図中の符号１が、線引具用ウェイトの本体、符号２が、線引具の糸ないし糸の先端部材を取り付けるための取付部、符号３（図２（ｂ）参照）が、本体１の下方に突出する複数の突起、符号４が、本体底面に設けられる滑動抑制手段たるゲルシート、符号５が、本体１を固定するためのアンカーを挿通するための通孔である。
【００２９】
上記取付部２は、本体１の周面１ａに回転自在に取り付けられているリング体１ｂに設けられており、該本体１の周面１ａに沿って３６０度自由に回転できるようになっている。また、取付部２の形状を、遠心方向に先細形状にしている。
【００３０】
上記ゲルシート４は、ゲルを適当な厚みのシート状に形成したもので、本実施例では、該ゲルシート４を本体１の底面１ｃに直接貼り付けている。そして、ゲルシートを本体１の底面１ｃから取り外すと、図２（ｂ）に示すように、本体１の底面１ｃに設けている突起３が現れる。また、図３は、ゲルシート４の一例を示した斜視図であり、符号４ａが、ゲルシート４を本体１の底面１ｃに貼り付けた際に、底面１ｃの突起３を避けるための空間部で、符号４ｂが、アンカーを挿通するための通孔５を避けるための空間部である。
【００３１】
図４は、第２の形態の線引具用ウェイトを示しており、突起３（少なくとも先端付近）が、滑動抑制手段たるゲルシート４の内外に進退可能になっているもので、ハンドル６を回転操作することにより、ゲルシート４の内方に収納されている突起３がゲルシート４の外方に出現し（図４（ａ））、また、ゲルシート４の外方に出ている突起３がゲルシート４の内方に収納されるようになっている（図４（ｂ））。
【００３２】
図５は、第１の形態の線引具用ウェイトの使用状態の一例を示しており、図５（ａ）は、本体１の被設置面が硬状態面（例えば、コンクリート面）のときの使用例であり、このときに用いる本体1は、ゲルシート４を底面１ｃに貼り付けた線引具用ウェイトが用いられる。すなわち、コンクリート面７とゲルシート４の表面との摩擦抵抗によって本体１の滑りが抑制されて、線引具９の糸９ａを、該線引具９と本体1の取付部２との間に張ることができる。
【００３３】
また、図５（ｂ）は、本体１の被設置面が軟状態面（例えば、土）のときの使用例であり、このときに用いる本体1は、ゲルシート４を底面１ｃから取り外して突起３を出現させた線引具用ウェイトが用いられる。すなわち、土８と該土８に突き刺した突起３との摩擦抵抗によって本体１の滑りが抑制されて、線引具９の糸９ａを、該線引具９と本体1の取付部２との間に張ることができる。
【符号の説明】
【００３４】
１…本体
１ａ…周面
１ｂ…リング体
１ｃ…底面
２…取付部
３…突起
４…ゲルシート
４ａ…空間部
４ｂ…空間部
５…通孔
６…ハンドル
７…コンクリート面
８…土
９…線引具
９ａ…糸
【図１】
0003200428.tif 000003
【図２】
0003200428.tif 000004
【図３】
0003200428.tif 000005
【図４】
0003200428.tif 000006
【図５】
0003200428.tif 000007
【手続補正書】
【提出日】平成27年8月6日(2015.8.6)
【手続補正１】
【補正対象書類名】実用新案登録請求の範囲
【補正対象項目名】全文
【補正方法】変更
【補正の内容】
【実用新案登録請求の範囲】
【請求項１】
本体と、線引具の糸ないし糸の先端部材を取り付けるための取付部と、本体下方に突出する複数の突起と、本体底面に設けられる滑動抑制手段と、を備える線引具用ウェイトであって、該滑動抑制手段は着脱自在になっていて、該滑動抑制手段が本体底面に取り付けられているときは、上記突起の少なくとも先端付近が滑動抑制手段底面よりも内方に位置するようになっていることを特徴とする線引具用ウェイト。
【請求項２】
本体と、線引具の糸ないし糸の先端部材を取り付けるための取付部と、本体下方に突出する複数の突起が立設されたプレートと、本体底面に設けられた滑動抑制手段と、を備える線引具用ウェイトであって、上記突起の少なくとも先端付近が上記滑動抑制手段の内外に進退可能となるように、上記複数の突起が立設されたプレートが上記本体に対して可動的に該本体に取り付けられていることを特徴とする線引具用ウェイト。
【請求項３】
上記取付部が、上記突起の外方に配置されると共に、これら突起の外方を水平に回転移動できるようになっていることを特徴とする請求項１または請求項２に記載の線引具用ウェイト。
【請求項４】
上記取付部が、本体の側面に配置されると共に、該側面の周囲を水平に回転移動できるようになっていることを特徴とする請求項１または請求項２に記載の線引具用ウェイト。
【請求項５】
上記取付部が、遠心方向に先細形状になっていることを特徴とする請求項１または請求項２に記載の線引具用ウェイト。
【請求項６】
上記本体の重心が、本体下方寄りに設定されていることを特徴とする請求項１または請求項２に記載の線引具用ウェイト。
【請求項７】
上記本体の上下方向に、通孔が設けられていることを特徴とする請求項１または請求項２に記載の線引具用ウェイト。
【請求項８】
上記滑動抑制手段に、ゲルを用いていることを特徴とする請求項１または請求項２に記載の線引具用ウェイト。
【請求項９】
上記ゲルが、適当な厚みの板状に形成されていることを特徴とする請求項８に記載の線引具用ウェイト。